(57)【要約】【課題】従来の金属屋根の融雪方法は板金の下に融雪用熱源を直接敷設しているため、融雪用熱源近くの積雪はすぐ融雪するが、この部分から冷えた大気に多くの熱エネルギーが散逸して損失するため、エネルギー効率が悪く融雪むらが生じている。【解決手段】融雪用熱源に熱伝導の良い金属板を設け、熱エネルギーを広く伝熱する効果と、融雪用熱源と融雪面の板金の間の一部に半断熱材を貼付け、熱エネルギーが冷えた大気に散逸することを抑える効果を併用した、効率良い融雪方法を提供する。【選択図】図2
2008025334.tif 000002
【特許請求の範囲】
【請求項１】
融雪用熱源に熱伝導の良い金属板を取付け、熱エネルギーを広く伝熱する効果と、融雪用熱源と融雪面の間の一部に半断熱材を設け熱エネルギーが冷えた大気に散逸することを防ぐ効果を併用した融雪装置。
【請求項２】
融雪熱源用パイプに熱伝導の良い金属板を取り付け、金属板の一部に半断熱材を貼付けた半断熱材付熱伝導板。
【請求項３】
融雪用熱源パイプに熱伝導の良い金属板を取付け金属板と融雪面の間に半断熱材を貼付けた請求項２に記載の半断熱材付熱伝導板を使用した金属屋根の融雪装置。
【請求項４】
融雪用熱源のパイプに熱伝導率の良い金属板を取付け、金属板と融雪面の間の一部に半断熱材を張付けた請求項2に記載の融雪用熱伝導板を使用したビルの笠木部分の融雪装置。
【発明の詳細な説明】
【技術分野】
【０００１】
金属屋根およびビルの笠木部や橋など構築物の融雪装置の技術に関するものである。
【背景技術】
【０００２】
従来の金属屋根およびビルの笠木部分などの融雪装置は、融雪しようとする板金の下に融雪用熱源を直接敷設する方法、または露出配管に融雪用熱源を供給する方法がとられている。これらの方法は熱源に近い融雪面の積雪は急速に融かすことが出来るが、この熱源に近い積雪が融けた部分から冷えた大気に熱エネルギーが散逸して損失となるため、熱源から離れた融雪面の積雪が融けないで残る融雪むらが生じ効率が良くない。（例、特許文献1参照）
図1は、例として従来の金属屋根の融雪装置を示す断面図である。
下地板6の上に、融雪用熱源1が収まる凹みを設けた下地断熱材5を敷設し融雪用熱源1と板金4と直接蜜着するように敷設している、このため融雪用熱源1に電熱線または温水などの熱源を通すと、熱源に近い融雪面7の積雪はすぐ溶ける。
しかし、積雪の融けたこの熱源に近い融雪面7から多くの熱エネルギーが冷えた大気に散逸して、融雪用熱源1から離れた融雪面8には積雪15が溶けないで残る融雪むらが生じている。
【０００３】
【特許文献１】特許公開2002−356959号、特許公開2003−82882号、
【発明の開示】
【発明が解決しようとする課題】
【０００４】
従来の金属屋根及びビルの笠木などの融雪装置において、融雪面の積雪が融けると融雪用熱源に近い部分の温度が一番高いため、この融雪面から多くの熱エネルギーが冷えた大気に散逸して熱エネルギーが損失している、この熱エネルギーの損失を抑制して熱エネルギーを広く伝熱して効率よく融雪することを課題としている。
【課題を解決するための手段】
【０００５】
本発明は上記目標を達成するため、融雪用熱源に熱伝導率の良いアルミ等の金属板を取付け熱エネルギーを広く伝熱させ、また融雪用熱源と融雪面の板金の間の一部に薄い断熱材を半断熱材として貼付け熱エネルギーが冷えた大気に散逸して損失することを防ぐ融雪装置を提供するものである。  
【発明の効果】
【０００６】
同じ熱エネルギー量で従来の方法に比べ雪の融ける面積を１６０％以上広く融雪することが出来た。
【発明を実施するための最良の形態】
【０００７】
次に、本発明の実施の形態について説明する。
【０００８】
図2は熱伝導と半断熱効果を併用した融雪方法の断面図である。
この熱伝導と半断熱効果による融雪装置は、金属屋根及びビルの笠木部分や橋などの構築物の着雪着氷する部分に応用することができる。
図2では金属屋根の融雪装置を例として説明する。
下地板6の上に下地断熱材5を設けこの下地断熱材5に凹み部9を設ける。そしてこの凹み9に融雪用熱源1と熱伝導の良い金属板2を蜜着して敷設する、また融雪用熱源近くの熱伝導の良い金属板2に一定の幅に切断した半断熱材3を貼付け板金４の下に設置する。
【０００９】
次にこの融雪装置の作用について説明する。
融雪用熱源1に電熱線または温水などの熱源を通すと、熱エネルギーの一部は半断熱材3を貫通して板金4の熱源に近い融雪面7を加熱してこの部位の雪を融雪する、
しかし熱源に近い融雪面7の積雪が融けるが融雪用熱源1と板金4の間に半断熱材3が存在するため、融雪用熱源1の熱エネルギーが冷えた大気に散逸して損失することを抑制することができる。
このため、もう一方の熱エネルギーは融雪用熱源1から熱伝導の良い金属板2を伝熱して板金4の熱源から離れた融雪面8を加熱してこの部位の雪を融雪することができる。
このように、融雪用熱源1と板金4の間に半断熱材3を設けることで熱エネルギーが融雪用熱源に近い融雪面7から熱エネルギーが大気に散逸することを抑え、熱伝導の良い金属板２の伝熱効果で熱エネルギーを広く伝熱して効率よく融雪する装置である。
【００１０】
図９は融雪面の温度分布グラフである。
従来の融雪方法による融雪面の温度分布グラフ１９と本発明による融雪面の温度分布グラフ２２を示している。
グラフ横軸１７は融雪用熱源の点１６から左右に離隔する融雪面の距離を表し、グラフ縦軸１８は板金４の融雪面各点の温度上昇を示している。
この温度分布グラフが示すように、従来の融雪方法の温度分布１９は融雪用熱源の点の温度２０が高い温度を示すが熱源の点１６から離隔した点の温度２１が急に低くなっている。
これと比較して、熱伝導と半断熱効果を併用した本発明による融雪装置では融雪用熱源の点の温度２３は半断熱材３の効果で低い温度を示していて、熱源の熱エネルギーが冷えた大気に散逸して損失することを抑制している。
一方、熱伝導の良い金属板２の熱伝導効果で熱源から離隔した点の温度２４が高い温度を維持できるため積雪を広く融雪できることを示している。
【００１１】
このデータを基に同じ熱エネルギーを使用して融雪試験を実施した結果、従来の板金４に直接融雪用熱源を敷設する方法に比較して、本発明による融雪方法が約１６０％以上の融雪能力を得ることができた。
【００１２】
図３は半断熱材付熱伝導板10の斜視図である。
図4は半断熱材付熱伝導板10の断面図Ａ−Ａである。
一定幅の所定の長さに切断した熱伝導の良い金属板2に凹みを設け、ここに熱源用パイプ11を取付ける、そしてこの熱伝導の良い金属板2の凹みに半断熱材3を貼付けた構造のものである。
【００１３】
図5は半断熱材付熱伝導板１０と板金４の斜視図である。
この図５に於ける、半断熱材付熱伝導板10と板金4の作用について説明する。
熱源用パイプ11に電熱線または温水などの熱源を通すと熱エネルギーの一部は半断熱材3を貫通して板金4の熱源に近い融雪面7の積雪を融雪する、またもう一方の熱エネルギーは熱源を通すパイプ11から熱伝導の良い金属板2を経て、板金4に伝熱して熱源から離れた融雪面8の積雪を融雪する。
この場合、熱源に近い融雪面7の積雪が融雪しても半断熱材3の半断熱効果で熱エネルギーが冷えた大気に散逸して損失することを抑制するため、もう一方の熱エネルギーが熱源から離れた融雪面8の積雪を融雪することが出来るのである。
【００１４】
図６は、縦葺き金属屋根の融雪方法の施工断面図である。
金属屋根の下地板６の上に下地断熱材５を敷き、半断熱材付熱伝導板１０を設置する。この上に金属屋根の板金４を張る構造である。この下地断熱材５の一部に凹み部９を設け、半断熱材付熱伝導板１０を敷設する融雪装置である。
【００１５】
図７は横葺き金属屋根１３の融雪装置の施工断面図である。
金属屋根の下地板６の上に下地断熱材5を敷き、この下地断熱材5の一部に凹み９を設け、半断熱材付熱伝導板10を設置する。この上に金属屋根の板金４を張る融雪装置である。
【００１６】
図８はビル等の笠木部の融雪装置の施工断面図である。  
笠木部の下地板６の上に下地断熱材5敷き、この下地断熱材５の一部に凹を設けこの部分に半断熱材付熱伝導板１０を設置する。この上に笠木部の板金4を敷設する融雪装置である。
【図面の簡単な説明】
【００１７】
【図１】従来の金属屋根の融雪装置の断面図
【図２】熱伝導と半断熱効果を併用した融雪装置の断面図
【図３】半断熱材付熱伝導板の斜視図
【図４】半断熱材付熱伝導板の断面図
【図５】半断熱材付熱伝導板と板金の斜視図
【図６】縦葺き金属屋根の融雪装置の断面図
【図７】横葺き金属屋根の融雪装置の断面図
【図８】笠木部分の融雪装置の断面図
【図９】温度分布グラフ
【符号の説明】
【００１８】
１    融雪用熱源
２    熱伝導の良い金属板
３    半断熱材
４    板金
５    下地断熱材
６    下地板
７    熱源に近い融雪面
８    熱源から離れた融雪面
９    凹み部
１０  半断熱材付熱伝導板
１１  熱源用パイプ
１２  縦葺金属屋根
１３  横葺金属屋根
１４  笠木用板金
１５  積雪
１６  融雪用熱源の点
１７  グラフ横軸
１８  グラフ縦軸
１９  従来の融雪装置の温度分布
２０  従来装置の熱源点の温度
２１  熱源から離隔した点の温度
２２  本発明の融雪装置の温度分布
２３  本発明の熱源の点の温度
２４  熱源から離隔した点の温度
【図１】
2008025334.tif 000003
【図２】
2008025334.tif 000004
【図３】
2008025334.tif 000005
【図４】
2008025334.tif 000006
【図５】
2008025334.tif 000007
【図６】
2008025334.tif 000008
【図７】
2008025334.tif 000009
【図８】
2008025334.tif 000010
【図９】
2008025334.tif 000011